(57)【要約】【課題】ステント、ステントグラフトなどの治療具の挿入作業を容易かつ迅速に行えるようにした管状器官用治療具の挿入装置を提供する。【解決手段】ステント、ステントグラフト等の管状器官用治療具を管状器官内に挿入するための装置であって、前記管状器官用治療具の収容部を先端部内周に有する外側カテーテル２０と、前記管状器官用治療具を押出すために前記外側カテール内に配置されたプッシャ４０と、このプッシャの内側にそれと一体又は別体に配置され、その内部にはガイドワイヤ５０が挿通される内側カテーテル２０とを有している。そして、カテーテルの基端から突出するガイドワイヤ５０の基端部に操作部９０が取付けられ、この操作部９０とカテーテルの基端部との間が、前記ガイドワイヤ５０を囲む伸縮性カバー材９５でシールされている。【選択図】　図１
2004049583.tif 000002
【特許請求の範囲】
【請求項１】
ステント、ステントグラフト等の管状器官用治療具を管状器官内に挿入するための装置であって、前記管状器官用治療具を挿入するための１重又は多重構造のカテーテルと、このカテーテルに挿通されるガイドワイヤとを備え、前記カテーテルの基端から突出する前記ガイドワイヤの基端部に操作部が取付けられ、この操作部と前記カテーテルの基端部との間が、前記ガイドワイヤを囲み軸方向に伸縮性を有する伸縮性カバー材でシールされていることを特徴とする管状器官用治療具の挿入装置。
【請求項２】
前記カテーテルは、前記管状器官用治療具の収容部を先端部内周に有する外側カテーテルと、前記管状器官用治療具を押出すために前記外側カテール内に配置されたプッシャと、このプッシャの内側にそれと一体又は別体に配置され、その内部には前記ガイドワイヤが挿通される内側カテーテルとで構成されており、前記プッシャ及び前記内側カテーテルは、前記外側カテーテルの基端部にスライド可能にシールされて挿入され、前記伸縮性カバー材は、前記プッシャ及び前記内側カテーテルの基端部と前記操作部とを連結している請求項１記載の管状器官用治療具の挿入装置。
【請求項３】
前記ガイドワイヤは、少なくとも先端部にＸ線不透過性部分を有し、かつ、先端部が湾曲した形状に復帰するように形成されている請求項１又は２記載の管状器官用治療具の挿入装置。
【発明の詳細な説明】
【０００１】
【発明の属する技術分野】
本発明は、例えば血管、尿管、胆管、気管などの管状器官内に、ステント、ステントグラフト等の治療具を挿入するための管状器官用治療具の挿入装置に関する。
【０００２】
【従来の技術】
近年、血管、尿管、胆管、気管などの人体の管状器官における治療のため、カテーテルを通してステントを挿入し配置することが行われている。例えば血管の狭窄部にステントを配置して拡張したり、動脈瘤が形成された箇所にステントを配置して動脈瘤の破裂を防止する治療方法が知られている。特に動脈瘤の治療においては、ステントの外周に織布などの筒状カバーを被覆してなるステントグラフトが使用されている。
【０００３】
ステント、ステントグラフトのような治療具を人体の管状器官、例えば血管に挿入する方法としては、まず、ガイドワイヤを経皮的に血管内に挿入し、ガイドワイヤの先端を治療すべき箇所に到達させる。その状態で親カテーテルをガイドワイヤの外周に沿って挿入し、親カテーテルの先端を上記治療すべき箇所に到達させる。
【０００４】
次いで、ガイドワイヤを抜き出し、子カテーテルの先端に治療具を縮径させて収容し、親カテーテルを通して上記子カテーテルを挿入する。子カテーテルの先端が血管の治療すべき箇所に到達したら、子カテーテルに挿入されたプッシャで治療具を押出し、血管内に留置させる。
【０００５】
また、特開平１１−５０１２４４号には、管腔内プロテーゼ（ステント、ステントグラフトなど）配置デバイスであって、細い内側カテーテル上をスライド可能とされた中空プランジャと、内部をカテーテルおよびプランジャがスライドする外側シースとを具備し、プランジャの先端部には、ソフトで引裂耐性のある回収用バルブが設けられており、内側カテーテルの先端部には、拡径用チップが設けられていて、プランジャの基端部には、プランジャとカテーテルとの相対位置を一時的にロックするためのロック機構が設けられ、外側シースの基端部には、プランジャと外側シースとの相対位置を一時的にロックするためのロック機構が設けられた管腔内プロテーゼ配置配置手段が開示されている。
【０００６】
【発明が解決しようとする課題】
上記従来の治療具の挿入操作においては、前述したように、まず、ガイドワイヤを目的とする治療箇所まで挿入し、このガイドワイヤに沿って親カテーテルを挿入し、この親カテーテル内に子カテーテルを挿入して、子カテーテルの先端から治療具を押出すという操作で行われていたため、挿入作業や抜き出し作業を複数回行わなければならず、治療具の挿入作業に時間と労力がかかるという問題があった。
【０００７】
したがって、本発明の目的は、ステント、ステントグラフトなどの治療具の挿入作業を容易かつ迅速に行えるようにした管状器官用治療具の挿入装置を提供することにある。
【０００８】
【課題を解決するための手段】
上記目的を達成するため、本発明の第１は、ステント、ステントグラフト等の管状器官用治療具を管状器官内に挿入するための装置であって、前記管状器官用治療具を挿入するための１重又は多重構造のカテーテルと、このカテーテルに挿通されるガイドワイヤとを備え、前記カテーテルの基端から突出する前記ガイドワイヤの基端部に操作部が取付けられ、この操作部と前記カテーテルの基端部との間が、前記ガイドワイヤを囲み軸方向に伸縮性を有する伸縮性カバー材でシールされていることを特徴とする管状器官用治療具の挿入装置を提供するものである。
【０００９】
上記発明によれば、伸縮性カバー材を伸縮させてカテーテルに対して操作部を軸方向に動かすことにより、カテーテルの先端からガイドワイヤを突出させたり引っ込めたりすることができる。このため、例えば、カテーテルの位置を変えないで、操作部を押し出すことにより、カテーテル先端からガイドワイヤを突き出して進行させることができ、逆に、操作部の位置を変えないで、カテーテルを押出すことにより、ガイドワイヤをカテーテル内に引き込んでカテーテルを進行させることができる。
【００１０】
すなわち、管状器官内への挿入に際して、カテーテルとガイドワイヤとを一体に管状器官内に挿入し、ガイドワイヤを突き出して進行させた後、カテーテルを進行させてガイドワイヤを引き込み、再びガイドワイヤを突き出して進行させるという操作を繰り返しながら、ガイドワイヤを進行させつつカテーテルを挿入することができるので、治療具の挿入作業を容易かつ迅速に行うことができる。
【００１１】
本発明の第２は、前記第１の発明において、前記カテーテルは、前記管状器官用治療具の収容部を先端部内周に有する外側カテーテルと、前記管状器官用治療具を押出すために前記外側カテール内に配置されたプッシャと、このプッシャの内側にそれと一体又は別体に配置され、その内部には前記ガイドワイヤが挿通される内側カテーテルとで構成されており、前記プッシャ及び前記内側カテーテルは、前記外側カテーテルの基端部にスライド可能にシールされて挿入され、前記伸縮性カバー材は、前記プッシャ及び前記内側カテーテルの基端部と前記操作部とを連結している管状器官用治療具の挿入装置を提供するものである。
【００１２】
上記発明によれば、管状器官用治療具を外側カテーテルの先端部内周に収容し、前述した方法でカテーテルの先端を管状器官の治療箇所まで挿入した後、プッシャを押出すことによって、外側カテーテルの先端から治療具を押出して管状器官内に留置させることができる。
【００１３】
本発明の第３は、前記第１又は第２の発明において、前記ガイドワイヤは、少なくとも先端部にＸ線不透過性部分を有し、かつ、先端部が湾曲した形状に復帰するように形成されている管状器官用治療具の挿入装置を提供するものである。
【００１４】
上記発明によれば、ガイドワイヤの先端部にＸ線不透過性部分が設けられているので、ガイドワイヤの先端位置をＸ線モニタによって確認することができ、ガイドワイヤの先端部が湾曲した形状に復帰するように形成されているので、ガイドワイヤを回転させることにより進路を選択することができる。
【００１５】
【発明の実施の形態】
図１〜５には、本発明による管状器官用治療具の挿入装置の一実施形態が示されている。図１は同挿入装置の全体を示し、（Ａ）は先端部の断面図、（Ｂ）は基端部の断面図、図２は同挿入装置を血管内に挿入して進行させる手順を示す説明図、図３は同挿入装置を血管の分岐部において所望の方向に進行させる手順を示す説明図、図４は同挿入装置により血管の動脈瘤の内側にステントグラフトを留置させる手順を示す説明図、図５はステントグラフトを血管内に留置させた状態を示す説明図である。
【００１６】
図１に示すように、この管状器官用治療具の挿入装置１０は、外側カテーテル２０と、外側カテーテル２０内に配置された内側カテーテル３０と、内側カテーテル３０の外側に配置された線状部材からなるプッシャ４０と、内側カテーテル３０内に挿入されたガイドワイヤ５０とを有している。
【００１７】
外側カテーテル２０は、先端部２１が拡径されて、その内側が治療具６０の収容部２２となっている。外側カテーテル２０の基端は、筒状ホルダ７０の内周に固着されている。外側カテーテル２０の材質は、例えばポリアミド、ポリエチレン、フッ素樹脂、ポリイミド等から選ばれた生体適合性のある合成樹脂が好ましく使用される。外側カテーテル２０の外径は、適用箇所によって適宜選択すればよいが、通常１〜１０ｍｍが好ましい。外側カテーテル２０の壁厚は、使用する材料や、適用箇所によって適宜選択すればよいが、通常０．５〜１ｍｍが好ましい。なお、収容部２２の内径を十分にとれれば、外側カテーテル２０の先端部２１は拡径されていなくてもよい。
【００１８】
内側カテーテル３０は、その内側にガイドワイヤ５０が挿通される挿通孔３１を有している。内側カテーテル３０の先端部は、外側カテーテル２０の先端から突出しており、しかも外側カテーテル２０の先端開口２３をキャップ状に閉塞するように拡径された頭部３２をなしている。頭部３２は、この実施形態の場合、先細のテーパ形状をなし、血管等の管状器官内を進行するときに、管状器官の内壁を損傷しないようにされている。
【００１９】
内側カテーテル３０の材質は、例えば外側カテーテルと同様な生体適合性のある合成樹脂が好ましく使用される。内側カテーテル３０は、ガイドワイヤ５０を挿通できる内径と、外側カテーテル２０内にプッシャ４０と共に挿入できる外径と、プッシャ４０と協働して挿入時のプッシュアビリティを付与できる壁厚を有していればよい。
【００２０】
なお、内側カテーテル３０の頭部３２には、Ｘ線不透過性材料が混合又は取付けられていることが好ましい。Ｘ線不透過性材料としては、例えば金、白金、イリジウム、タンタル、タングステン、銀等や、それらを含有する合金などが好ましく使用される。
【００２１】
内側カテーテル３０の基端は、前記筒状ホルダ７０の後端のキャップ７１に挿入されたスライド筒８０に挿入され、このスライド筒８０の後端部に設けられたグリップ８１の内周に固定されている。
【００２２】
プッシャ４０は、この実施形態では、内側カテーテル３０の外周に配置された複数の線材からなり、その先端部４１が外径方向に屈曲されて、収容部２２に収容される治療具６０の基端に係合するようになっている。ただし、プッシャ４０は、内側カテーテル３０の外周に配置されるチューブでもよく、あるいは内側カテーテル３０と一体に形成されたものであってもよい。
【００２３】
プッシャ４０の材質は、例えば外側カテーテルと同様な生体適合性のある合成樹脂や、Ｔｉ−Ｎｉ合金等からなる超弾性合金や、ステンレスや、金、白金、タングステンなどのＸ線不透過性金属などが好ましく使用される。
【００２４】
プッシャ４０の基端部は、内側カテーテル３０と共に、筒状ホルダ７０の後端のキャップ７１に挿入されたスライド筒８０に挿入され、このスライド筒８０の後端部に設けられたグリップ８１の内周に固定されている。
【００２５】
ガイドワイヤ５０としては、公知の各種のものが使用できる。すなわち、超弾性合金や、ステンレスなどからなる芯線に合成樹脂膜を被覆したものや、芯線の外周にコイルを装着し、このコイルの外周を更に合成樹脂膜で被覆したものなどが用いられる。ガイドワイヤ５０は、先端部５１に前述したＸ線不透過性金属などを取付けたり、Ｘ線不透過性材料を付与して形成したＸ線不透過性部分を有していることが好ましい。また、ガイドワイヤ５０の先端部５１は、管状器官の分岐部において、所望の進路を選択できるようにするため、例えばＪ字形などの湾曲した形状に復帰するように形成されていることが好ましい。
【００２６】
筒状ホルダ７０及びスライド筒８０は、それぞれ合成樹脂や金属で形成されている。スライド筒８０の先端は、筒状ホルダ７０の後端に取付けられたキャップ７１にスプライン嵌合してスライド可能に挿通されている。そして、筒状ホルダ７０の内周と、スライド筒８０の先端部外周との間には、パッキン８２が介装されており、筒状ホルダ７０及びスライド筒８０内を気密的にシールしている。スライド筒８０は、筒状ホルダ７０に対して、矢印Ａ方向にスライド可能とされている。
【００２７】
スライド筒８０のグリップ８１より更に後方には、薬液注入室８３が形成されており、この薬液注入室８３に薬液等を注入するための、コック８４が付いた注入ポート８５が取付けられている。更に、薬液注入室８３の基端側壁部８６からガイドワイヤ５０が挿出されている。
【００２８】
内側カテーテル３０及びプッシャ４０の基端面は、薬液注入室８３内に露出しており、スライド筒８０内周との間に隙間が設けられている。したがって、注入ポート８５から生理食塩水や薬液等の液体を注入すると、薬液注入室８３を介して、内側カテーテル３０及びプッシャ４０と、スライド筒８０内周との隙間を通して上記液体が流れ、筒状ホルダ７０内から外側カテーテル２０内に流入するようになっている。また、スライド筒８０を矢印Ａ方向にスライドさせても、パッキン８２によって気密性が維持されるようになっている。
【００２９】
ガイドワイヤ５０の後端には、操作部９０が取付けられている。操作部９０には、薬液注入室９１と、この薬液注入室９１に薬液等を注入するための、コック９２が付いた注入ポート９３が取付けられている。ガイドワイヤ５０は、薬液注入室９１の先端側壁部９４、薬液注入室９１及び操作部９０をそれぞれ挿通されているが、操作部９０の部分に設けた図示しないパッキン及びクランプでシールされて固定されている。
【００３０】
薬液注入室８３の基端側壁部８６と、薬液注入室９１の先端側壁部９４との間には、ガイドワイヤ５０を囲み、軸方向に伸縮可能な伸縮性カバー材９５が連結されている。この実施形態においては、伸縮性カバー材９５は、合成樹脂、金属板等で形成された蛇腹チューブからなっているが、伸縮可能なカバーであればどのような構造、材質のものであってもよい。伸縮性カバー材９５の内部には、薬液注入室８３又は薬液注入室９１から流入した薬液等が充填されている。
【００３１】
操作部９０は、グリップ８１に対して、図中矢印Ｂで示すように軸方向に相対移動できると共に、矢印Ｃで示すように回動可能とされている。したがって、操作部９０を矢印Ｂ方向に移動させることにより、ガイドワイヤ５１が内側カテーテル５１の頭部から出没し、矢印Ｃ方向に回転させることにより、ガイドワイヤ５１の湾曲した先端部の向きを変えることができるようになっている。
【００３２】
次に、この管状器官用治療具の挿入装置の使用方法について、血管の動脈瘤の治療に適用する例を挙げて説明する。
【００３３】
血管の動脈瘤の治療には、血管の動脈瘤が形成された箇所に、経皮的にカテーテルを血管内に挿入し、その先端を動脈瘤が形成された箇所に到達させ、カテーテルを通してステントグラフトを血管内に挿入する手術が行われている。本発明の挿入装置は、例えばこのようなステントグラフトの血管内への挿入、留置に好適に使用することができる。
【００３４】
本発明が適用される管状器官用治療具の一例であるステントグラフト６０は、図４，５に示すように、金属線材をメッシュ状かつ筒状に編んで形成したステント６１を、筒状カバーであるグラフト６２で被覆して構成されている。
【００３５】
ステント６１を形成する金属線材の材料としては、熱処理による形状記憶効果や、超弾性が付与される形状記憶合金が好ましく採用されるが、用途によってはステンレス、タンタル、チタン、白金、金、タングステンなどを用いてもよい。形状記憶合金としては、Ｎｉ−Ｔｉ系、Ｃｕ−Ａｌ−Ｎｉ系、Ｃｕ−Ｚｎ−Ａｌ系などが好ましく使用される。また、形状記憶合金の表面に金、白金などをメッキ等の手段で被覆したものであってもよい。金属線材の太さは、特に限定されないが、例えば血管用ステント等の場合には、０．０８〜１ｍｍが好ましい。
【００３６】
グラフト６２としては、熱可塑性樹脂を押出し成形、ブロー成形などの成形方法で加工された円筒状に形成したもの、円筒状に形成した熱可塑性樹脂の繊維の編織物、円筒状に形成した熱可塑性樹脂の不織布、円筒状に形成した可撓性樹脂のシートや多孔質シートなどを用いることができる。編織物としては、平織、綾織などの公知の編物や織物を用いることができる。また、クリンプ加工などのヒダの付いたものを使用することもできる。
【００３７】
これらの中でも、グラフト６２としては、特に円筒状に形成した熱可塑性樹脂の繊維の編織物、更には円筒状に形成した熱可塑性樹脂の繊維の平織りの織物が、強度及び有孔度、生産性が優れるため好ましい。
【００３８】
熱可塑性樹脂としては、ポリエチレン、ポリプロピレン、エチレン−α−オレフィン共重合体などのポリオレフィン、ポリアミド、ポリウレタン、ポリエチレンテレフタレート、ポリブチレンテレフタレート、ポリシクロヘキサンテレフタレート、ポリエチレン−２，６−ナフタレートなどのポリエステル、ポリ弗化エチレンやポリ弗化プロピレンなどのフッ素樹脂などの耐久性と組織反応の少ない樹脂などを用いることができる。
【００３９】
特に、化学的に安定で耐久性が大きく、組織反応の少ない、ポリエチレンテレフタレートなどのポリエステル、ポリ弗化エチレンやポリ弗化プロピレンなどのフッ素樹脂を好ましく用いることができる。
【００４０】
グラフト６２は、縫着、接着、溶着等の手段によって、ステント６１に連結されている。この場合、グラフト６２は、ステント６１の伸縮に影響を及ぼさないように被覆し、連結する必要がある。
【００４１】
ステントグラフト６０は、拡張時における外径が２〜５０ｍｍ、長さが１〜２０ｃｍ程度であることが好ましい。
【００４２】
このステントグラフト６０は、図４に示すように、縮径された状態で、外側カテーテル２０の収容部２２内に収容される。そして、ステントグラフト６０の内側を内側カテーテル３０が通り、内側カテーテル３０の頭部３２が、外側カテーテル２０の先端開口を閉じた状態にセットする。このとき、プッシャ４０の外径側に屈曲した先端部４１は、ステントグラフト６０の基端部に位置する。
【００４３】
ステントグラフト６０の血管への挿入に先立ち、挿入装置１０の脱気操作を行う。この操作は、薬液注入室８３内に注入ポート８５から生理食塩水や薬液等の液体を注入することによって行うことができる。薬液注入室８３内に注入された液体は、スライド筒８０内を通って筒状ホルダ７０内に流入し、筒状ホルダ７０内から更に外側カテーテル２０の内部を通り、外側カテーテル２０の先端開口から流出する。
【００４４】
この場合、スライド筒８０、筒状ホルダ７０及び外側カテーテル２０の内部には、内側カテーテル３０及びプッシャ４０が配置されているが、このように複数のチューブや線状部材が配置されると、それらの間に必ず隙間ができるので、液体はその隙間を通って隅々まで充満するように流れる。その結果、気泡が残留することがなくなり、脱気を完全に行うことができる。
【００４５】
なお、液体は、薬液注入室８３から、ガイドワイヤ５０外周と内側カテーテル２０内周との隙間にも流れて、これらの隙間も脱気される。
【００４６】
こうして脱気操作を行った後、図２〜４に示すように、血管Ｖ内に挿入装置１０を挿入する。この操作は、Ｘ線モニタ等で位置を確認しながら、まずガイドワイヤ５０を進行させ、このガイドワイヤ５０に沿って、外側カテーテル２０及び内側カテーテル３０を進行させることによって行われる。
【００４７】
この場合、本発明においては、ガイドワイヤ５０を少し進行させ、その後を追うように外側カテーテル２０及び内側カテーテル３０を少し進行させる操作を繰り返しながら、挿入装置１０全体を少しずつ挿入する。
【００４８】
すなわち、図２（Ａ）に示すように、グリップ８１と操作部９０との間が広がって伸縮性カバー材９５が伸びた状態から、同図（Ｂ）に示すように、グリップ８１の位置を変えずに、伸縮性カバー材９５を縮ませて操作部９０をグリップ８１に近づけると、ガイドワイヤ５０の先端部５１が内側カテーテル３０の頭部３１から突出して延出される。次いで、同図（Ｃ）に示すように、今度は操作部９０の位置を変えずに、グリップ８１を軸方向先端側に移動させると、外側カテーテル２０及び内側カテーテル３０が血管Ｖ内を進行し、ガイドワイヤ５０の先端部５１が再び内側カテーテル３０内に引き込まれる。この操作を繰り返すことにによって、挿入装置１０全体を少しずつ血管Ｖ内に挿入することができる。
【００４９】
そして、図３に示すように、挿入装置１０の先端が血管Ｖの分岐部に差し掛かり、その進路を一方の分岐管Ｖ２にしたいときには、同図（Ｄ）に示すように、操作部９０を矢印Ｃで示すように回動させて、ガイドワイヤ５０の先端部５１の方向を、分岐管Ｖ１の方向ではなく、分岐管Ｖ２の方向に向くように位置決めする。この状態でグリップ８１の位置を変えずに、伸縮性カバー材９５を縮ませて操作部９０をグリップ８１に近づけると、ガイドワイヤ５０の先端部５１が内側カテーテル３０の頭部３１から突出して分岐管Ｖ２に入る。続いて、今度は操作部９０の位置を変えずに、グリップ８１を軸方向先端側に移動させると、内側カテーテル３０の頭部３１が分岐管Ｖ２に入る。こうして進路を選択しながら、目的とする治療箇所まで挿入装置１０の先端部を進行させることができる。
【００５０】
こうして、図４（Ａ）に示すように、内側カテーテル３０の頭部３２を、治療箇所である動脈瘤Ａをやや越した位置に配置する。そして、図４（Ｂ）に示すように、内側カテーテル３０及びプッシャ４０の基端が固着されたグリップ８１を保持しながら、外側カテーテル２０の基端が固着された筒状ホルダ７０を基端側に引き寄せる。
【００５１】
すると、ステントグラフト６０の基端部がプッシャ４０の先端部４１に係合して、ステントグラフト６０は外側カテーテル２０と一緒に基端側へ移動できないので、ステントグラフト６０がその先端部から徐々に外側カテーテル２０の先端開口より突出する。その結果、ステントグラフト６０の突出した部分が、自己拡張力によって拡径し、血管Ｖの内壁に圧接されて固定される。
【００５２】
こうして外側カテーテル２０を徐々に基端側に移動させることにより、ステントグラフト６０は、その先端部から徐々に外側カテーテル２０の先端開口より突出し、図４（Ｃ）に示すように、先端部側から血管Ｖの内壁に圧接されて固定されていく。
【００５３】
ステントグラフト６０が完全に押し出されると、ステントグラフト６０は、全体が拡張して血管Ｖの内壁に圧接され、動脈瘤Ａの内周を完全に覆うように配置される。この状態で、図４（Ｄ）に示すように、内側カテーテル３０の頭部３２をステントグラフト６０の内側を通して引き抜き、内側カテーテル３０の頭部３２を外側カテーテル２０の先端開口２３に再び当接させた後、挿入装置１０を血管Ｖ内から引き抜くことができる。
【００５４】
こうして血管Ｖ内に留置されたステントグラフト６０は、図５に示すように、血管Ｖの動脈瘤Ａを覆うように配置され、血流がステントグラフト６０内を流れるようにし、動脈瘤Ａ内に入るのを止めて、動脈瘤Ａの破裂を防止することができる。
【００５５】
なお、図６に示すように、挿入装置１０の先端部が目的とする治療箇所に到達した後の操作において、操作部９０が不用意に動いたりしないようにするため、操作部９０を取り外して、枠状のホルダ９６を被せて、伸縮性カバー材９５を縮めた状態でグリップ８１に固定できるようにしてもよい。このとき、図示しないパッキンによってガイドワイヤ５０の挿通部から血液や薬液などが漏れないようにすることが好ましい。
【００５６】
【発明の効果】
以上説明したように、本発明によれば、管状器官内への挿入に際して、カテーテルとガイドワイヤとを一体に管状器官内に挿入し、ガイドワイヤを突き出して進行させた後、カテーテルを進行させてガイドワイヤを引き込み、再びガイドワイヤを突き出して進行させるという操作を繰り返しながら、ガイドワイヤを進行させつつカテーテルを挿入することができるので、治療具の挿入作業を容易かつ迅速に行うことができる。
【図面の簡単な説明】
【図１】本発明による管状器官用治療具の挿入装置の一実施形態を示し、（Ａ）は先端部の断面図、（Ｂ）は基端部の断面図である。
【図２】同挿入装置を血管内に挿入して進行させる手順を示す説明図である。
【図３】同挿入装置を血管の分岐部において所望の方向に進行させる手順を示す説明図である。
【図４】同挿入装置により血管の動脈瘤の内側にステントグラフトを留置させる手順を示す説明図である。
【図５】ステントグラフトを血管内に留置させた状態を示す説明図である。
【図６】本発明による管状器官用治療具の挿入装置の他の実施形態を示す基端部の断面図である。
【符号の説明】
１０　挿入装置
２０　外側カテーテル
２１　先端部
２２　収容部
３０　内側カテーテル
３１　挿通孔
３２　頭部
４０　プッシャ
４１　先端部
５０　ガイドワイヤ
５１　先端部
６０　ステントグラフト
６１　ステント
６２　グラフト
７０　筒状ホルダ
８０　スライド筒
８１　グリップ
９０　操作部
９５　伸縮性カバー材
【図１】
2004049583.tif 000003
【図２】
2004049583.tif 000004
【図３】
2004049583.tif 000005
【図４】
2004049583.tif 000006
【図５】
2004049583.tif 000007
【図６】
2004049583.tif 000008